(57)【要約】【課題】  容器の蓋を開けるオープナーにおいて、オープナー自体の操作を片手でできるようにし、他方の手で容器を保持でき安定性と操作性を向上させたオープナーを提供する。【解決手段】    ベルトとハンドル部を有し、壜や缶等の容器の蓋を回転して開けるオープナーにおいて、該オープナーはオープナーの本体であるハンドル部と、該ハンドル部に一端が連結されたベルトをリング状に形成し、該ベルトの他端を該ハンドル部に伸縮可能に挿通し、該ハンドル部には、片手による握り部とベルト操作部を設け、該ベルト操作部において該ベルトを指により操作することにより、該ベルトを伸縮させ、容器の蓋に合わせて前記ハンドルと共に回転することにより蓋開可能としたことを特徴とするオープナー。【選択図】  図１
2007050929.tif 000002
【特許請求の範囲】
【請求項１】
ベルトとハンドル部を有し、壜や缶等の容器の蓋を回転して開けるオープナーにおいて、
該オープナーは本体であるハンドル部と、該ハンドル部に一端が連結されたベルトでリングを形成し、該ベルトの他端を該ハンドル部に伸縮可能に挿通し、該ハンドル部には、片手による握り部とベルト操作部を設け、該ベルト操作部において該ベルトを指により操作することにより、該ベルトを伸縮させ、前記リングを容器の蓋に嵌合させて前記ハンドル部と共に回転することにより蓋開可能としたことを特徴とするオープナー。
【請求項２】
前記ベルト操作部は、前記ベルトの他端を前記ハンドル部に伸縮可能に挿通したのち外部に露出させ、さらに前記ベルトの余長部は前記ハンドル部にスライド可能に係止又は収納し、該露出部を指で伸縮操作可能なベルト操作部としたことを特徴とする請求項１に記載のオープナー。
【請求項３】
前記ハンドル部の内部には、底面が曲面状のガイド曲面を設け、前記ベルトの前記余長部が該ガイド面に沿ってスライド可能に収容されることを特徴とする請求項２に記載のオープナー。
【請求項４】
前記ハンドル部の内部には、前記ベルトの前記余長部の端部を前記ハンドル部の内部に連結し、該余長部がハンドル部の内部で屈曲できる空間を設け、前記ベルトが伸縮可能に収容されることを特徴とする請求項２に記載のオープナー。
【請求項５】
前記ベルト操作部は、回転盤を前記ハンドル部の内部に回転可能に設け、前記ベルトの余長部側を該回転盤に巻回させ、該回転盤の一部を外部に露出させて、前記ベルト操作部としたことを特徴とする請求項１に記載のオープナー。
【発明の詳細な説明】
【技術分野】
【０００１】  本発明は、缶や壜等の容器の蓋を回転させて、容易に蓋開するためのオープナーに関する。
【背景技術】
【０００２】  食品や日用品等を入れた缶や壜の容器は、ネジを回転させて蓋を開けたり、閉めたりするものがある。これらの蓋は、内容物の保存性を良くするため強固に螺合されており、蓋開が困難なことが多い。また使用過程おいて、きつく閉めたつもりがなくても、内容物が固化したり、内圧が変化して蓋が硬くなることがよくある。特に女性、子供、お年寄りや身体障害者等が蓋が開けられず困ることが多い。【０００３】  このため、たとえば特許文献１（実開昭５７−１２６３９３号公報）のように、ゴムのシートを蓋に被せて、蓋を回転させるものがある。しかし、このタイプでは摩擦係数を上げて、滑り難くするものであるが、回転力（トルク）そのものを大きくするのもではなく限界がある。【０００４】  このため、特許文献２（特開２０００−２８１１８５号公報）により、ベルトを蓋に巻き付けて蓋を回転させる技術が提案されている。
この技術は、図１５に示すように、オープナー１はベルト３を蓋に巻き付けてハンドル２を回転させるものである。この技術では、片手でハンドル２を握り、他方の手でベルト３の端部３４をつまんで、ベルト３が蓋にしっかり巻き付く様に調節する必要がある。この後で、端部３４を摘んでいた手を離し、その手で容器５の胴体を握ってハンドル２を回転させるものである。【０００５】  しかしながら、この技術では、オープナー１自体の操作に両手が必要であり、容器の保持に手が回らず、不安定で操作性が悪いと言う問題がある。さらに、せっかくベルト３を調節しても、端部３４を離した途端、ベルト３が緩んでしまうという問題もある。また、操作の方法も複雑で慣れないと使い難いという問題もある。
【特許文献１】  実開昭５７−１２６３９３号公報
【特許文献２】  特開２０００−２８１１８５号公報
【発明が解決しようとする課題】
【０００６】  本発明は前記問題に鑑みてなされたもので、容器の蓋を回転して開けるオープナーにおいて、オープナー自体の操作を片手でできるようにし、他方の手で容器を保持でき安定性と操作性を向上させ、簡易で初めての人でも使いやすいオープナーを提供することを課題としている。
【課題を解決するための手段】
【０００７】  ベルトとハンドル部を有し、壜や缶等の容器の蓋を回転して開けるオープナーにおいて、  該オープナーは本体であるハンドル部と、該ハンドル部に一端が連結されたベルトでリングを形成し、該ベルトの他端を該ハンドル部に伸縮可能に挿通し、該ハンドル部には、片手による握り部とベルト操作部を設け、該ベルト操作部において該ベルトを指により操作することにより、該ベルトを伸縮させ、前記リングを容器の蓋に嵌合させて前記ハンドルと共に回転することにより蓋開可能としたことを特徴とするオープナーを提供している。
【０００８】  このような構成とすることにより、片手でハンドル部の保持とベルトの伸縮の調整を同時にできるので、他方の手はフリーとなり、容器をしっかり保持でき、安定的にかつスムーズに蓋開することができる。なお、ベルトに適度な摩擦係数の材料を選ぶことにより、ベルトと蓋とのスリップを防止でき、かつ、てこの原理を利用して小さい力で、大きなトルクを生じさせて、蓋開を容易とすることができる
【０００９】  前記ベルト操作部は、前記ベルトの他端を前記ハンドルに伸縮可能に挿通したのち外部に露出させ、さらに前記ベルトの余長部は前記ハンドル部にスライド可能に係止又は収納し、該露出部を指で伸縮操作可能なベルト操作部としたことを特徴とするオープナーとすることができる。
【００１０】  このような構成とすることにより、片手でハンドル部を保持し、同一の手の指でベルト操作部を操作してベルトを調整できると共に、ベルトの余長部が握り部近傍に露出せず、邪魔にならない利点がある。
【００１１】  前記ハンドル部の内部には、底面が曲面状のガイド曲面を設け、前記ベルトの余長部が該ガイド曲面に沿ってスライド可能に収容されることを特徴とするオープナーとすることができる。
【００１２】  このような構成とすることにより、ベルトの余長部がハンドル部の内部に全て収容可能となり、外部に露出しないので、使用上も邪魔にならず、すっきりしたデザインとすることができる。
【００１３】  前記ハンドル部の内部には、前記ベルトの前記余長部の端部を前記ハンドル部の内部に連結し、該余長部がハンドル部の内部で屈曲できる空間を設け、前記ベルトが伸縮可能に収容されることを特徴とするオープナーとすることができる。
【００１４】  このような構成とすることにより、ベルトの余長部は屈曲して、空洞内に余長部を収納することができ、底面とベルトの間の摩擦抵抗がなく、より、スムーズにベルトを調整することができる。
【００１５】  前記ベルト操作部は、回転盤を前記ハンドル部の内部に回転可能に設け、前記ベルトの余長部側を該回転盤に巻回させ、該回転盤の一部を外部に露出させて、前記ベルト操作部としたことを特徴とするオープナーとすることができる。
【００１６】  ベルトの余長部は回転盤に巻き取られるので、ベルトとハンドル部との摩擦が少なく、ベルトの調節をよりスムーズにすることができる。また、ベルトの調節代を十分長くとれるので、大きな蓋であっても適用することができる。
【発明の効果】
【００１７】上記の説明のとおり、本発明によると、ベルトの調整やハンドルの回転などのオープナーの操作が片手のみで行うことができ、他方の手で容器をしっかり押さえて、蓋開することができので、女性、お年寄り、子供や身体障害者でも軽い力で容易に蓋開することができる。また、操作性を向上させ、簡易で初めての人でも使いやすいオープナーを提供することができる。
さらに、本オープナーによると、非使用時はコンパクトにできるので、商品パッケージも小さくでき、収納にも場所をとることがないという効果もある。
【発明を実施するための最良の形態】
【００１８】  以下、本発明の実施形態を図を用いて説明する。
図１は、第１の実施形態のオープナーの斜視図である。１はオープナーであり、本体であるハンドル部２とベルト３により構成される。ベルト３は一端部３０が、ハンドル部２にピン３４で連結され、続いて蓋に嵌合する為のリング３１を構成している。ハンドル部２には開口部２１、空洞部２２、ハンドル側ベルト操作部２３が設けられている。ベルト３は開口部２１を通して空洞部２２に入り、ベルト操作部開口部２３ａから引き出され、ベルト操作部３２を形成し、ベルト操作部開口部２３ｂから再び空洞部２２に引き込まれる。ベルト３の余長部３３は空洞部２２に収納され、さらに余った余長部３３は、ハンドル部２の端部開口部２５から外に出される。【００１９】  ベルト３の外面側はベルト本体部３ａであり、引っ張り力に強く、摩擦係数の小さいプラスティックやスティール等の弾力性のある材料で構成し、内面側はゴムやポリ塩化ビニール等の摩擦係数の大きい摩擦材３ｂで構成し、ベルト本体部３ａに粘着又は接着で接合させてある。なお、３ａ、３ｂは適度な弾力性、強度や摩擦係数の材料を選ぶことにより同一の材質で一体に構成してもよい。また、ベルト３の内面には適度な凹凸を設けて、スリップを防止することも有効である。【００２０】  図２はオープナー１の操作の仕方を示す斜視図である。ハンドル部２の握り部２４を手４で握り、同一の手４の親指４１でベルト操作部３２をスライドさせ、リング３１を伸縮・調節する。親指を矢印ａの方向に動かすと、リング３１は大きくなり、矢印ｂの方向に動かすとリング３１は小さくなる。このようにして、片手のみでオープナー１を保持すると同時にベルトの操作の両方を行うことができる。
ベルト操作部３２の近傍では、ベルト３が指４１でハンドル側ベルト操作部２３に押圧されるが、摩擦係数の小さいベルト本体３ａがハンドル側ベルト操作部２３に接触するので、スムーズにスライドすることができる。【００２１】  図３は第２の実施形態であり、第１の実施形態と異なる点のみ説明する。６は回転盤であり、ハンドル２の空洞部２２内に回転軸６１回りに回転できるよう収納されている。ベルト３は、開口部２１を通して、空洞部２２に引き込まれ、回転盤６に巻きつけられている。回転盤６の一部はハンドル側ベルト操作部２３から外部に露出し、ベルト側のベルト操作部３２も外部に露出している。【００２２】  第２の実施形態のオープナー１の操作方法を図４により説明する。オープナー１はハンドル部２の握り部２４を手で握り、親指４１でベルト操作部３２を矢印の方向にスライドさせて、ベルト３を伸縮させることができる。さらに、本実施形態では余長部３３の端部が外部に露出しておらず、邪魔にならない。【００２３】  図５により蓋開方法を説明する。Ａのように、一方の手４でオープナー１を握り、親指でベルト操作部３２を操作しながら、リング３１の大きさを調整し、他方の手７で容器５を保持してリング３１に近づける。次に、Ｂのように、リング３１を容器５の蓋５１に被せ、ベルト操作部３２を操作しリング３１を縮めて後、ハンドル２を反時計方向（矢印の方向）に回転させて、蓋５１を緩めることができる。【００２４】  この様に、本実施形態のオープナー１は片手４でハンドル部２を握り、同じ手４の親指４１でベルト３を調節できる。すなわち片手でオープナー１を操作できるので、他方の手７はフリーとなり、容器５を保持してそのまま蓋開方向に力を加えることができる。また、操作の方法も簡易であり、初めての人でも使いやすい。
なお、上記実施形態において、ベルト３の本体部３ａが十分な張力を有し、摩擦材３ｂが蓋とベルト３の間の滑りを防止している。又、ハンドル２が一定の長さを有しているため、てこの原理を利用して蓋を回転するトルクを増大する効果を奏することは言うまでもない。【００２５】  図６により、第３の実施形態を説明する。ベルト３は、ピン３４によりハンドル部２に連結されリング３１を形成した後、開口部２１から空洞部２２に挿通される。ベルト３はベルト操作部開口部２３ａで外部に取り出され、ベルト操作部開口部２３ｂで再び空洞部２２に引き込まれる。空洞部２２内のガイド曲面２４は滑らかな曲面を形成しており、空洞内２２に引き込まれたベルト３は、その余長部３３がガイド曲面２４の曲面に沿って折れ曲がり、空洞部２２内に収納される。【００２６】  図６のＡはリング３１を最小とした場合の図であり、ベルト３の余長部３３がハンドル部２の内部に収納され、第１の実施形態のように端部が外部に飛び出すことがなく、操作の邪魔にならない利点がある。
ベルト３にはベルト本体３ａの内側に摩擦材３ｂを貼り付けてあるが、本実施形態では、余長部３３（３３Ａの範囲）には、摩擦材３ｂが貼り付けられていない。したがって、リング３１を縮小する際、ベルトの余長部３３がガイド曲面２４に押圧されても、ガイド曲面２４とベルト３の摩擦係数が小さいので、抵抗が少なく、余長部３３がスムーズに上方に反転スライドすることができる。
なお、２６はベルト３のガイドピンであり、図６のＢはリング３１が最大になった状態を示す。３５はストッパーであり、ベルト３が不用意に抜け出してしまうのを防止している。【００２７】  図７は第４の実施形態であり、第３の実施形態に内側ガイド２７を設け、ガイド溝２８を構成したものである。この実施形態によると、ベルト３の余長部３３がガイド溝２８に沿ってスライドでき、よりスムーズな動きを確保することができる。【００２８】  図８は第５の実施形態であり、第３の実施形態のベルト３の余長部３３の端部を連結ピン２９でハンドル部２に連結したものである。本実施形態では、ベルト３の余長部３３は２点鎖線３３ａ、３３ｂのように弯曲して、空洞内２２に余長部３３を収納することができる。前記実施形態のように、底面２４とベルト３の間の摩擦抵抗がなく、より、スムーズにベルト３を調整することができる。【００２９】  図９は第６の実施形態であり、ハンドル側ベルト操作部２３を図の右側に設けたものである。
本実施形態は、ベルト３の調節は人差指で行うもであり、ベルトの取り回しを簡潔にすることができる。【００３０】  図１０は第７の実施形態であり、内側ガイド２７とガイド溝２８を連続して設けたものである。こうすることにより、ベルト２３の取り回しを簡潔にし、かつ確実にすることができる。【００３１】  図１１は第８の実施形態である。６は回転盤であり、回転軸６１を中心に回転可能である。ベルト３の端部は固定部６２で回転盤６に固定してある。ハンドル側ベルト操作部２３はハンドル部２の両側に設けられ、開口部から回転盤６が露出している。
回転盤６は、図の時計方向（矢印ｂ）に回転することにより、ベルト３を巻きつけリング３１を縮小し、反時計方向（矢印ａ）に回転することにより、リング３１を拡大することができる。
本実施形態では、部品点数が増えるものの、ベルト３とハンドル部２との摩擦を少なくでき、よりスムーズな操作性を得ることができる。また、ベルト３の長さの自由度を大きく取ることができる。
なお、ハンドル側ベルト操作部２３をハンドル部２の両側に設けたことにより、左利きの人にとっても使い易くすることができる。また、本オープナー１を図の裏表反転することにより、蓋を閉めるのに用いることもできる。
なお、内側ガイド２７により、ベルト３が弛んだりしないようガイドしている。【００３２】  図１２は第９の実施形態を示し、第８の実施形態のハンドル側ベルト操作部２３を片側にのみ設けたものであり、ベルト３の取り回しと構造を簡素化したものであり、ベルト３の動きをよりスムーズにすることができる。【００３３】  図１３は第１０の実施形態を示し、第９の実施形態のベルト３の回転盤６への巻き方向を反転したものである。【００３４】  図１４は第１１の実施形態を示し、前記の実施形態のオープナー１のハンドル部２に開閉の方向の表示２９を付したものである。Ａ図の２９ａは「開」方向の文字と矢印であり、Ｂ図はＡ図のオープナー１を上下を裏返したものであり、２９ｂは「閉」方向の文字と矢印である。
このような表示を付することにより、初めて使用する人にとっても使用方法が分かり易くなる。
また、上下を反転するだけで、「開」方向にも「閉」方向にも簡単に切り替えることができる。【００３５】  上記の説明のとおり、上記実施形態のオープナーによると、ベルトの調整やハンドルの回転などのオープナーの操作が片手のみで行うことができ、他方の手で容器をしっかり押さえて、蓋開することができので、女性、お年寄り、子供や身体障害者でも軽い力で容易に蓋開することができる。また、本オープナーによると、非使用時はコンパクトにできるので、商品パッケージも小さくでき、収納にも場所をとることがない。
【産業上の利用可能性】
【００３６】
【００３７】  前記した実施形態は食品や日用品などの容器の蓋開に利用可能であるのはもちろん、たとえば自動車のオイルエレメント、水道栓などネジにより取り付けられた様々の部品などの取り外しにも利用可能である。
【図面の簡単な説明】
【００３８】
【図１】  第１の実施形態のオープナーの斜視図である。
【図２】  第１の実施形態のオープナーの操作方法を示す斜視図である。
【図３】  第２の実施形態のオープナーの斜視図である。
【図４】  第２の実施形態のオープナーの操作方法を示す斜視図である。
【図５】  第２の実施形態のオープナーにより蓋を開ける方法を示す斜視図である。
【図６】  第３の実施形態のオープナーの断面図である。
【図７】  第４の実施形態のオープナーの断面図である。
【図８】  第５の実施形態のオープナーの断面図である。
【図９】  第６の実施形態のオープナーの断面図である。
【図１０】  第７の実施形態のオープナーの断面図である。
【図１１】  第８の実施形態のオープナーの断面図である。
【図１２】  第９の実施形態のオープナーの断面図である。
【図１３】  第１０の実施形態のオープナーの断面図である。
【図１４】  第１１の実施形態のオープナーの斜視図である。
【図１５】  従来のオープナーとその使用方法を示す、斜視図である
【符号の説明】
【００３９】１    オープナー
２    ハンドル部
２３  ハンドル側ベルト操作部
２４  握り部
３    ベルト
３１  リング
３２  ベルト操作部
３３  余長部
５    容器
５１  蓋
【図１】
2007050929.tif 000003
【図２】
2007050929.tif 000004
【図３】
2007050929.tif 000005
【図４】
2007050929.tif 000006
【図５】
2007050929.tif 000007
【図６】
2007050929.tif 000008
【図７】
2007050929.tif 000009
【図８】
2007050929.tif 000010
【図９】
2007050929.tif 000011
【図１０】
2007050929.tif 000012
【図１１】
2007050929.tif 000013
【図１２】
2007050929.tif 000014
【図１３】
2007050929.tif 000015
【図１４】
2007050929.tif 000016
【図１５】
2007050929.tif 000017